(57)【要約】      （修正有）【課題】薄く、軽く、嵩張らず、財布やポーチ等に容易に収納でき、鞄や携帯電話、衣服等に装飾品（アクセサリー、ペンダント等）として取り付けできる爪みがきを提供する。【解決手段】厚さ寸法０．２ｍｍのステンレス鋼板を犬の輪郭４０を表す図柄に沿って切断加工し、前記犬の胴体のほぼ中央部に幅０．５ｍｍ（符号Ｗ）、長さ６ｍｍのスリット状の透孔１０を配設ピッチ１ｍｍ（符号Ｐ）で３０列並べて設ける。該透孔１０の縁部は爪を切る機能を持たせるため、プレス加工等で鋭いシャープエッジに仕上げる。併せて前記犬のほぼ目の位置に該犬をぶら下げる紐を通す透孔３０を直径３ｍｍ程度に穿設する。さらに、全体を金色にメッキして装飾性を高める。【選択図】図１
0003167500.tif 000002
【実用新案登録請求の範囲】
【請求項１】
薄板の輪郭が花、植物の葉、果物、動物、昆虫、魚貝類、楽器、乗り物、調理器具、調理加工した食べ物、容器、球技用ボール、似顔絵、キャラクタから選んだ一つからなり、前記薄板に複数の透孔を配設し、前記透孔の縁部で爪を削れるようにしたものであって、前記透孔を方形、円形、多角形、スリット状、文字から選んだ少なくとも一つとしたことを特徴とする爪みがき。
【請求項２】
薄板が鏡面を備えた金属板であることを特徴とする請求項１記載の爪みがき。
【考案の詳細な説明】
【技術分野】
【０００１】  本考案は、財布やポーチ等に容易に収納でき、薄板状の装飾品を兼ねた爪みがきに関する。
【背景技術】
【０００２】    従来の爪みがきとしては一般的にヤスリが用いられている。また、金属製薄板に多数の透孔を穿設形成し、該透孔の表面側縁部に縁取り刃を形成し、前記金属製薄板の周囲を把持枠で囲んだことを特徴とするカ−ド型爪磨き器が特開平７−８３１８号公報に提案されている。
【特許文献１】特開平７−８３１８号公報
【考案の概要】
【考案が解決しようとする課題】
【０００３】  しかし従来のヤスリは細長く、先端部が尖っているため携帯に適さず、ポケットや財布、ポーチ（小物入れ）に収納しにくい不便さがあった。また、特許文献１における爪磨き器は、金属製薄板の周囲を把持枠で囲んでいるので爪磨き器の厚さ寸法が大きく財布にスムーズに入れ難い面があった。また、ポーチ、ハンドバッグ等に入れる場合も嵩高かった。【０００４】  本考案は薄く、軽く、嵩張らず、財布やポケット、ハンドバッグ、ポーチ等に容易に収納でき、携帯に便利な爪みがきを提供することを目的とする。また、低価格を実現する。さらに、鞄や携帯電話、衣服等に取り付ける装飾品（アクセサリー、ペンダント等）として用いることを目的とする。
【課題を解決するための手段】
【０００５】  本考案にかかる爪みがきは、薄板の平面視輪郭が花、植物の葉、果物、動物、昆虫、魚貝類、楽器、乗り物、調理器具、調理加工した食べ物、容器、球技用ボール、似顔絵、キャラクタから選んだ一つからなり、前記薄板に複数の透孔を配設し、前記透孔の縁部で爪を削れるようにしたものであって、前記透孔を方形、円形、多角形、スリット状、文字から選んだ少なくとも一つとしたことを特徴としたもので、これにより薄く、軽く、嵩張らず、財布やポケット、ハンドバッグ、ポーチ等に容易に収納でき、携帯に便利である。また、表面側縁部に縁取り刃を形成する必要が無く低価格を実現する。さらに、鞄や携帯電話等に取り付けて装飾品として用いることができる。【０００６】  さらに、本考案にかかる爪みがきは上記記載において、薄板が鏡面を備えた金属板であることを特徴としたもので、これにより鏡として用いることもできる。
【考案の効果】
【０００７】  上記構成により本考案の爪みがきは、薄く、軽く、嵩張らず、財布やポケット、ハンドバッグ、ポーチ等に容易に収納でき、携帯に便利である。また、表面側縁部に縁取り刃を形成する必要が無く低価格を実現する。さらに、鞄や携帯電話、衣服等に取り付ける装飾品（アクセサリー、ペンダント等）として用いることができる。
【図面の簡単な説明】
【０００８】
【図１】  本考案の一実施例における爪みがきの平面図
【図２】  図１を切断線Ｓ１〜Ｓ１で切断したスリット（透孔）の要部拡大断面図
【図３】  本考案のもう一の爪みがきを構成する図柄の輪郭平面図
【図４】  本考案のもう一の爪みがきを構成する図柄の輪郭平面図
【図５】  本考案のもう一の爪みがきを構成する図柄の輪郭平面図
【図６】  本考案のもう一の爪みがきを構成する図柄の輪郭平面図
【図７】  本考案のもう一の爪みがきを構成する図柄の輪郭平面図
【考案を実施するための形態】
【００９】  本考案にかかる爪みがきは上述の通りである。爪みがきを構成する薄板は金属部材シートで構成するのが望ましい。勿論、樹脂部材シートで構成してもよい。
金属部材シートとしては例えば、厚さが０．１ｍｍ〜１ｍｍ程度のステンレス鋼板、軟鋼板、バネ鋼板、ニッケル板、亜鉛メッキ鋼板、黄銅板、アルミニウム板等、任意の一般金属部材を用いればよい。また、金属板に黒色や金色、青色等のカラーメッキや塗装を任意に施してもよい。さらに、鏡面を備えた金属板により鏡の機能を併せて持たせてもよい。
【００１０】  樹脂部材シートとしては例えば、厚さ寸法が０．２ｍｍ〜２ｍｍ程度の塩化ビニルシート、ポプロピレン（ＰＰ）、ポリエチレンテレフタレート（ＰＥＴ）、エポキシ、ポリスチレン（ＰＳ）、アクリル等、任意の一般樹脂部材を用いればよい。
【００１１】  爪みがきの平面視輪郭は、アクセサリーやペンダントなどの装飾品に適した形状とするのが望ましい。例えば、花、植物の葉、果物、動物、昆虫、魚貝類、楽器、乗り物、調理器具、調理加工した食べ物、容器、球技用ボール、似顔絵、キャラクタから選んだ一つとするのが望ましい。花は例えばチューリップ、ひまわり、薔薇、すみれ、桜など、植物の葉はクローバー、銀杏、紅葉など、果物はりんご、みかん、メロン、バナナなど、動物は象、ライオン、猫、犬、馬、亀、パンダなど、昆虫は蝶々、てんとう虫、ミツバチ、とんぼ、蝉、カブトムシなど、魚貝類はイルカ、鯨、鮫、蛸、熱帯魚、帆立貝、蛤など、楽器はバイオリン、ギター、サックス、トランペット、ピアノなど、乗り物は新幹線、バス、電車、自動車、飛行機など、調理器具はコテ、フライパン、しゃもじ、スプーンなど、調理加工した食べ物はケーキ、パン、パフェ、ラーメンなど、容器はボトル、コーヒーカップ、グラス、瓢箪など、球技用ボールはサッカーボール、野球ボール、ラグビーボールなど、似顔絵は俳優、スポーツ選手、ゴルフ選手、政治家、キャラクタは漫画、アニメ、妖精、妖怪など。
【００１２】  透孔の縁部に爪を削る機能を持たせるには、透孔の縁部を切れ刃のごとく鋭いシャープエッジに仕上げるのが望ましい。前記透孔はストレート状、または斜めに傾けた透孔などとするのが望ましい。前記透孔はファインブランキング加工（プレス加工）またはレーザー加工のいずれか一方により配設するのが望ましい。透孔の形状としては、方形、円形、多角形、スリット状、文字から選択した少なくとも一つとするのが望ましい。透孔の配置パターンは多行または多列、または多行多列など任意に設定してよいことは自明である。
【実施例】
【００１３】  以下、本考案の爪みがきを図面とともに説明する。図１は本考案の一実施例における爪みがきの平面図、図２は図１を切断線Ｓ１〜Ｓ１で切断したスリット（透孔）の要部拡大断面図である。【００１４】  図１、図２に示す爪みがき１００は、厚さ寸法０．２ｍｍのステンレス鋼板を犬の輪郭４０を表す図柄に沿って切断加工した（犬の大きさは横５０ｍｍ、縦３５ｍｍ程度）。さらに、前記犬の胴体のほぼ中央部に幅０．５ｍｍ（符号Ｗ）、長さ６ｍｍのスリット状の透孔１０を配設ピッチ１ｍｍ（符号Ｐ）で３０列並べて設けた。併せて前記犬のほぼ目の位置に該犬をぶら下げる紐を通す透孔３０を直径３ｍｍ程度に穿設した。さらに、全体を金色にメッキした。【００１５】  前記犬の輪郭４０、透孔３０及び各スリット（透孔）１０の加工はレーザー加工により行った。前記透孔１０は表面側よりレーザー光線を照射した。その結果、切れ刃の役割を果たす鋭い縁部２０は裏面側に形成され、表面側の透孔縁部は若干ダレ気味となる。なお多列に配設したスリットの内、左側半分は表面側に切れ刃（鋭い縁部）を配置し、右側半分は裏面側に切れ刃（鋭い縁部）を配置するなど任意に構成してよいことは自明である。さらに、爪みがきに硬質クロームめっきとバフ研磨を施し鏡面に仕上げて顔が映るように構成してよいことも同様である。勿論、最初から鏡面のミガキ鋼板を加工し爪けずりを構成してもよい。【００１６】  さらに、爪こすりの平面視輪郭は装飾品となる任意の物品としてよいことも自明である。たとえば図３は本考案のもう一の爪みがきを構成する鶴の図柄の輪郭平面図、図４は銀杏の葉の図柄の輪郭平面図、図５は瓢箪の図柄の輪郭平面図、図６は蝶の図柄の輪郭平面図、図７は梅花の図柄の輪郭平面図を示す。【００１７】  なお、本考案の爪みがきは爪の他に皮膚の角質部を削る場合にも利用できる。
【符号の説明】
【００１８】  １０  スリット（透孔）
２０  鋭い縁部（切れ刃）
３０〜３５  紐を通す透孔
４０  犬の輪郭
１００  爪みがき
【図１】
0003167500.tif 000003
【図２】
0003167500.tif 000004
【図３】
0003167500.tif 000005
【図４】
0003167500.tif 000006
【図５】
0003167500.tif 000007
【図６】
0003167500.tif 000008
【図７】
0003167500.tif 000009